(57)【要約】      （修正有）【課題】コンパクトでありロールペーパーの交換が省スペースで行えるロールペーパー用ディスペンサーを提供する。【解決手段】筐体内両側部に、通常状態において水平方向内側に向かって突出し、先端がロールペーパーの管芯内に位置してロールペーパーを支持する一対の支持部５２を具備するロールペーパー用ディスペンサーであって、前記支持部５２は、前記通常状態に付勢された状態で基端部を軸として先端部側が円弧軌道を描きつつ上方に跳ね上げ可能とされているとともに、その前面側が、基端側から先端側に向かって前面から奥側に向かって傾斜し、底面側が、基端側から先端側に向かって登り傾斜するように、基端側から先端に向かって狭窄しているロールペーパー用ディスペンサーにより解決される。【選択図】図３
2011224108.tif 000002
【特許請求の範囲】
【請求項１】
筐体内両側部に、通常状態において水平方向内側に向かって突出し、先端がロールペーパーの管芯内に位置してロールペーパーを支持する一対の支持部を具備するロールペーパー用ディスペンサーであって、
前記支持部は、前記通常状態に付勢された状態で基端部を軸として先端部側が円弧軌道を描きつつ上方に跳ね上げ可能とされているとともに、
その前面側が、基端側から先端側に向かって前面から奥側に向かって傾斜し、底面側が、基端側から先端側に向かって登り傾斜するように、基端側から先端に向かって狭窄していることを特徴とするロールペーパー用ディスペンサー。
【請求項２】
支持部の形状は、その前側端と先端とを結ぶ線と、先端を通る水平方向基準線との交差角の角度が３０〜４５度とされている請求項１記載のロールペーパー用ディスペンサー。
【請求項３】
支持部の形状は、その底側端と先端とを結ぶ線と、先端を通る水平方向基準線との交差角の角度が３０〜４５度とされている請求項１記載のロールペーパー用ディスペンサー。
【請求項４】
支持部は、少なくとも前面から底面にかけて曲面で構成されている請求項１記載のロールペーパー用ディスペンサー。
【請求項５】
支持部は、先端から回転軸までの範囲が曲面で構成されている請求項１記載のロールペーパー用ディスペンサー。
【発明の詳細な説明】
【技術分野】
【０００１】
本発明は、帯状のペーパーをロール状に巻取ったロールペーパー用のディスペンサーに関する。
【背景技術】
【０００２】
例えば、手拭き用途として使われているロールペーパータオル用ディスペンサーは、筐体内部にロールペーパータオルを回動自在に支持する支持機構を有し、その支持機構に取付けたロールペーパータオルから巻き出したペーパータオルを、筐体下部等に設けた排紙口から適宜必要な長さ引き出して裁断可能にしたものである。排紙機構については、センサーによって自動的に適宜長さを排紙するもの、使用者自身が紙を引き出すタイプ等が知られる。
このディスペンサーは、化粧室の洗面台近傍、キッチンの水回り近傍の壁面などに比較的狭い場所に設置されることが多く、コンパクトであることが求められる。
他方、この種のディスペンサーでは、ロールペーパーのすべてを使い切ってしまった後には、新たなロールペーパーを補充する必要があり、上述の支持機構は、ロールペーパーを交換可能となっている。
【０００３】
この従来の支持機構は、ロールペーパーを取付ける態様別に、例えば、図９〜１１に示す（１）〜（３）ものが例示できる（従来支持機構のディスペンサーを符号Ｘ２〜Ｘ４とする）。
（１）図９に示すＸ２は、筐体１０１内において所定間隔を開けて手前に延出する一対のアーム部１５１と、各アーム部１５１の先端に取付けられてロールペーパー７の管芯７０に挿入される支持部１５２とを有し、前記アーム部１５１が可撓性を有して、前記支持部１５２，１５２間を拡幅可能に構成したものである。使用時には支持部間が所定間隔であり、ロールペーパー取付け時にはアーム部１５１を撓ませて先端支持部を拡幅してロールペーパー７を交換する。
（２）図１０に示すＸ３は、図１０（Ａ）〜（Ｃ）にも示されるとおり、通常状態において筐体内側部において水平方向内側に向かって突出する一対の支持部１５２，１５２を有し、前記支持部１５２，１５２が前記通常状態に付勢された状態でその基端部１５２ｓ，１５２ｓを軸として奥側に向かって倒れるように構成されている。そして、一対の支持部１５２，１５２の先端１５２ｔ，１５２ｔ間は、ロールペーパー７の管芯７０の幅未満の距離とされているとともに、先端１５２ｔ，１５２ｔ部分が奥側に倒れたときに支持部１５２，１５２間がロールペーパー７の幅よりも広くその間隔が開くように構成されている。ロールペーパー取付け時には、手前から奥に向かって支持部１５２，１５２間にロールペーパー７を挿入し、さらに倒れた支持部先端１５２ｔ，１５２ｔが管芯７０内に位置するまで奥側へ押し込む。支持部先端１５２ｔ，１５２ｔが管芯７０内に到着すると支持部が通常状態位置への付勢によって戻り、支持部先端１５２ｔ，１５２ｔが管芯７０内に位置してロールペーパー７が支持される。
（３）図１１に示すＸ４は、図１１（Ａ）〜（Ｃ）にも示されるとおり、通常状態において筐体内側部において水平方向内側に向かって突出する一対の支持部１５２，１５２を有し、前記支持部１５２，１５２が前記通常状態に付勢された状態でその基端部１５２ｓ，１５２ｓを軸として先端１５２ｔ，１５２ｔが円弧軌道を描きつつ上方に跳ね上げ可能に構成されている。そして、一対の支持部１５２，１５２の先端１５２ｔ，１５２ｔ間は、ロールペーパー７の管芯７０の幅未満の距離とされているとともに、先端１５２ｔ，１５２ｔが跳ね上がったときに少なくとも支持部１５２，１５２間にロールペーパー７の幅よりも広くその間隔が開くように構成されている。ロールペーパーの取付け時には、下方から上方に向かって支持部１５２，１５２間にロールペーパー７を挿入し、さらに跳ね上げられた支持部先端１５２ｔ，１５２ｔが管芯７０内に位置するまで上方へ押し上げる。そして、支持部先端１５２ｔ，１５２ｔが管芯７０内に到着すると先端支持部１５２ｔ，１５２ｔが通常状態位置への付勢によって戻り、支持部先端１５２ｔ，１５２ｔが管芯７０内に位置してロールペーパー７が支持される。
【０００４】
ここで、上述のとおりディスペンサーは、狭い場所に設置されることからそれ自体の大きさをコンパクトにすることが重要であるとともに、ロールペーパーの交換に必要なスペースが省スペースであることも重要である。設置場所において邪魔にならないように筐体をコンパクトにしたとしても、ロールペーパーの交換に空間を広く必要とするのでは設置場所を限定してしまう。また、このような交換は、迅速かつ煩雑な操作なく交換可能であることも求められる。
この点につき従来例Ｘ２〜Ｘ４について検証すると、図９に示す（１）のものはアーム部１５１を拡幅する点で煩雑な操作を要し、また、図１０の（２）のものは、交換時に奥側に倒れた位置にある先端１５２ｔの位置よりさらに巻き厚さ（ロール半径−管芯半径）分の奥行きが少なくとも必要となり、ディスペンサーを奥行き方向にコンパクトにし難い。図１１の（３）のものは、支持部１５２の下方と上方とに空間が必要であるためディスペンサーの設置場所として、上方、下方に空間のある場所に限定される。
特に、（２）及び（３）の従来例Ｘ３，Ｘ４は、管芯径が小さく巻径が大きいロールペーパー、すなわち長い巻き長さを有する巻き厚さの厚い好ましい形態のロールペーパーを使用する場合に、筐体がコンパクトにできなかったり、広い空間が必要となったりするなどデメリットが顕著なものとなる。
【０００５】
なお、本発明におけるロールペーパーのペーパーとは、前述した手拭き用途で使用される、いわゆる紙だけで製造されたペーパータオルをいうだけでなく、紙をベースにしフィルム等をラミネートした積層紙等も含まれるものとする。そして、これらペーパーの長尺物をロール状に巻いたものを本発明におけるロールペーパーという。
【先行技術文献】
【特許文献】
【０００６】
【特許文献１】特開平０９−２１５６２８
【特許文献２】特開２００６−０６８３４５
【特許文献３】特開２００７−２２２３７２
【特許文献４】特開２００２−１０２１０５
【発明の概要】
【発明が解決しようとする課題】
【０００７】
そこで、本発明の主たる課題は、簡素な機構であり、ロールペーパーの交換を狭い空間範囲で煩雑な操作なく迅速に行なうことができるロールペーパー用ディスペンサーを提供することにある。
【課題を解決するための手段】
【０００８】
上記課題を解決した本発明は次記のとおりである。
＜請求項１記載の発明＞
筐体内両側部に、通常状態において水平方向内側に向かって突出し、先端がロールペーパーの管芯内に位置してロールペーパーを支持する一対の支持部を具備するロールペーパー用ディスペンサーであって、
前記支持部は、前記通常状態に付勢された状態で基端部を軸として先端部側が円弧軌道を描きつつ上方に跳ね上げ可能とされているとともに、
その前面側が、基端側から先端側に向かって前面から奥側に向かって傾斜し、底面側が、基端側から先端側に向かって登り傾斜するように、基端側から先端に向かって狭窄していることを特徴とするロールペーパー用ディスペンサー。
【０００９】
＜請求項２記載の発明＞
支持部の形状は、その前側端と先端とを結ぶ線と、先端を通る水平方向基準線との交差角の角度が３０〜４５度とされている請求項１記載のロールペーパー用ディスペンサー。
【００１０】
＜請求項３記載の発明＞
支持部の形状は、その底側端と先端とを結ぶ線と、先端を通る水平方向基準線との交差角の角度が３０〜４５度とされている請求項１記載のロールペーパー用ディスペンサー。
【００１１】
＜請求項４記載の発明＞
支持部は、少なくとも前面から底面にかけて曲面で構成されている請求項１記載のロールペーパー用ディスペンサー。
【００１２】
＜請求項５記載の発明＞
支持部は、先端から回転軸までの範囲が曲面で構成されている請求項１記載のロールペーパー用ディスペンサー。
【発明の効果】
【００１３】
以上の本発明によれば、簡素な機構でありながら、ロールペーパーの交換を狭い空間範囲で煩雑な操作なく迅速に行なうことができるロールペーパー用ディスペンサーが提供される。
【図面の簡単な説明】
【００１４】
【図１】本発明のロールペーパー用ディスペンサーの正面図である。
【図２】本発明のロールペーパー用ディスペンサーの側面図である。
【図３】本発明のロールペーパー用ディスペンサーの支持機構を説明するための斜視図である
【図４】本発明のロールペーパー用ディスペンサーの支持部を説明するための平面図である。
【図５】本発明のロールペーパー用ディスペンサーの支持部を説明するための正面図である。
【図６】本発明のロールペーパー用ディスペンサーの支持部の好ましい形状を説明するための図である。
【図７】本発明のロールペーパー用ディスペンサーの支持機構に対するロールペーパーの取り付け方法を説明するための正面図である。
【図８】本発明のロールペーパー用ディスペンサーの支持機構に対するロールペーパーの取り付け方法を説明するための側面図である。
【図９】従来のディスペンサーのロールペーパー用ディスペンサーにおけるロールペーパーの交換の態様を説明するための図である。
【図１０】従来の他のディスペンサーのロールペーパー用ディスペンサーにおけるロールペーパーの交換の態様を説明するための図である。
【図１１】従来の別のディスペンサーのロールペーパー用ディスペンサーにおけるロールペーパーの交換の態様を説明するための図である。
【発明を実施するための形態】
【００１５】
次いで、本発明の実施の形態を図１〜８を参照しながら以下に詳述する。
本形態のロールペーパー用ディスペンサーＸ１は、手や顔などの肌の清拭や食材のドリップや水分等の拭き取りに用いられるペーパーをロール状としたロールペーパー用のディスペンサーである。
このディスペンサーＸ１は、その素材が例えばＡＢＳ樹脂等の合成樹脂である筐体１と、この筐体内部に設けられたロールペーパー７を回動自在に支持する支持機構２とを具備する。
【００１６】
『筐体の構造例』
筐体１は、前面開放のケース本体１０と、ケース本体１０の前面開放部分を被覆する蓋体２０とで構成され、その下部に前記支持機構２に支持されたロールペーパーから巻き出されたペーパーシートを筐体外部に露出させる排紙口３０を有している。
【００１７】
ケース本体１０は、天板部１１と底板部１２と背板部１３とこの背板部１３の両側縁若しくは両側縁部から手前に延在する左右一対の本体側板部１４，１４とで構成され、前記背板部１３を介して壁面等に設置される。
【００１８】
蓋体２０は、上部がケース本体１０の天板部１１と一連となるような湾曲面部分を有する前板部２１と、この前板部２１と直角をなして手前に延在する左右一対の蓋体側板部２２，２２とを有し、ケース本体１０の正面側開放部分を被覆すように配置され、前記ケース本体１０とともに箱型の筺体１を構成する。
また、蓋体２０は、ケース本体１０に対してハッチ式に取付けられ、引き下げることにより、ケース本体１０を前面開放状態にし、筺体内部の支持機構２を露出させ、ロールペーパー７の交換を可能とする。
【００１９】
このようなハッチ式にするにあたっては、蝶番機構２３をケース本体１０の底板部１２の正面側縁と蓋体２０の前板部２１の下縁に設けるようにすればよい。ケース本体１０の天板部１１の正面側縁と蓋体２０の前板部２１の背面側上縁に蝶番機構２３を設けて前面を跳ね上げるようにするハッチ式としてもよい。さらには、各本体側板部の上部或いは下部に一対の凸部、各蓋体側板部の上部或いは下部に前記凸部に対応する一対の嵌合孔を設けて、これらを嵌め込むようにして、ケース本体と蓋体とを連結することで達成できる。もちろん、凸部と嵌合孔とは対をなせばよく、そのどちらがケース本体側であるかは問わない。
【００２０】
他方、筐体下部の排紙口３０は、ケース本体１０の底板部１２に形成することができ、図示例では、ケース本体１０の底板部１２の正面側が天板部１１側に向かって傾斜され、その傾斜部分に幅方向細長の排紙口３０が形成されており、使用者におけるペーパーの取り出しを容易なものとしている。
【００２１】
『支持機構』
前記筐体１内に収納される支持機構２は、背板部１３の両側板近傍からそれぞれ前板側（壁面取付け時における手前側）に向かって所定長さ延出する一対の腕部５１，５１を有し、その腕部５１，５１の先端に支持部５２，５２が取付けられている。なお、図示例に限らず腕部５１，５１は、本体側板部１４から水平方向に突出するように延出している態様であってもよいし、天板部１１から垂下するような態様であってもよいし、底板部１２から天板部１１に向かって立ち上がるものであってもよい。腕部５１は、本発明の効果を妨げない範囲で支持部５２を所定位置に位置せしめるものであれば、その具体的な態様は限定されない。
【００２２】
他方、支持部５２は、支持部基端部５２ｓが腕部先端に設けられた回転軸５３に回動自在に軸支持されているとともに、図示されない突起等の適宜の規制手段によってその先端５２ｔが水平方向下側に向かって回転しないように規制されている。このため、通常状態においては筐体内の水平方向内側に向かって支持部５２，５２が突出するようにして停止しており、この状態で各支持部５２，５２の先端５２ｔ，５２ｔがロールペーパー７の端面側から管芯７０内に挿入された位置とされることでロールペーパー７を回転可能に支持する。
【００２３】
また、支持部５２は、図示されない付勢バネなど既知の付勢手段を介して、前記通常状態に付勢された状態となっているとともに、前記回転軸５３を軸として先端５２ｔ側が円弧軌道を描きつつ上方に跳ね上げ可能に構成されている。
【００２４】
ここで、本形態における支持部５２は、特徴的に、その形状として前面側５２Ｆが、基端部５２ｓ側から先端５２ｔに向かって、ディスペンサーの前面から背面に向かうように平面的或いは曲面的に傾斜しているともに、底面側５２Ｂが、基端部５２ｓ側から先端５２ｔに向かって平面的に或いは曲面的に登り傾斜することで、基端部５２ｓ側から先端５２ｔ側に向かって狭窄する形状となっている。
【００２５】
この前面側５２Ｆにおける傾斜は、支持部５２の前側端５２ｆと先端５２ｔとを結ぶ線Ａと、前記先端５２ｔを通る水平方向の基準線Ｂとの交差角αが３０〜４５度とされているのが望ましい。それとともに、この底面側５２Ｂにおける傾斜は、支持部５２の底側端５２ｂと先端５２ｔとを結ぶ線Ｃと、前記先端５２ｔを通る水平方向の基準線Ｄとの交差角βが３０〜４５度とされているのが望ましい。
【００２６】
ここで、前側端５２ｆとは、支持部５２の部位のうち最もディスペンサー前面側に位置する部位であり、図４に示される例のように当該部分が平面である場合には、その平面のもっとも支持部先端５２ｔ側（水平方向内側）部位を前側端とする。先端５２ｔとは水平方向内側の先端である。水平方向基準線とは、水平に延在する仮想線である。本発明における水平方向基準線は、設置状態を基準として、正面視で左右方向に延在する線である。また、底側端５２ｂとは支持部５２の部位のうち最もディスペンサー底面側に位置する部位であり、図５に示される例のように当該部分が平面である場合には、その平面のもっとも支持部先端５２ｔ側（水平方向内側）部位を底側端とする。
【００２７】
本発明のディスペンサーＸ１では、上記構成の支持機構２とすることで、支持部５２の直下から上方に力を加えなくとも、先端５２ｔ部分に対して前面側下方（使用状態における手前側下方）から奥側上方（奥角上方）に向かって力を加えた際にも、容易に先端５２ｔが前記回転軸５３を軸として回転する。詳細は後述するが、その結果、これまで筐体１のデッドスペースであった奥側上方（奥角上方）の空間を有効に利用することができるようになり、支持部５２を過度に長くしたりする必要がなくなり、ディスペンサーＸ１自体をコンパクトにすることができる。また、交換に必要な空間が省スペースですむとともに、簡易に取付けが可能となる。そして、特に前述のとおり、前側面５２Ｆ及び底側面５２Ｂにおける交差角α及びβを３０〜４５度の範囲とすることで、特に確実に先端５２ｔ部分に対して前面側下方（使用状態における手前側下方）から奥側上方（奥角上方）に向かって力を加えた際に、容易に先端５２ｔが前記回転軸５３を軸として回転するようになる。
【００２８】
ここで、支持部５２は、より好ましくは、各支持部５２，５２の傾斜の基端となる前側端５２ｆ間の長さ（距離）は、ロールペーパー７の幅よりも長くなるように設計するとロールペーパーの取り付けが容易となる。もちろん、先端５２ｔ間は、ロールペーパー７の幅よりも狭くする。
【００２９】
なお、前面側５２Ｆ、底面側５２Ｂの傾斜は平面よりも曲面のほうが望ましい。ロールペーパー７の管芯７０内に挿入されて、ロールペーパー７を回動自在に支持した状態において、ロールペーパー７の回転がスムーズになる。
【００３０】
ここで、支持部５２の最も好ましい形状は、図６に示すように正面視において鶏卵形状をなす形態である。ロールペーパー７の回転と跳ね上げによる省スペース化を両立させるにもっとも望ましい。なお、支持部７の天板部についても基端部５２ｓ側から先端５２ｔ側に向かって傾斜してもよいが、過度の下り傾斜とすると、通常状態におけるロールペーパー７の支持が不十分となり、ペーパー引出し時に支持部５２からロールペーパー７脱落するおそれが高まるので、過度の下り傾斜とはしない。
【００３１】
『ロールペーパーの取付け態様１』
次いで、本発明のロールペーパータオル用ディスペンサーＸ１におけるロールペーパー７の取付け態様と効果とを特に図７及び図８を参照しながら説明する。図７において表される支持部５２は、図６に示す形状のものである。また、図８は、図７の左側面視である。
【００３２】
まず、図７（Ａ）及び図８（ａ）に示すようにロールペーパー７一方端面の管芯７０内に一方の支持部５２の先端５２ｔを挿入する（図７（Ａ）では右側）。このとき、図からも理解できるように、本形態の支持部５２は、前面側及び底面側が傾斜する先端狭窄形状をなしているため、挿入にあたっては右側支持部５２Ｒの左手前下側からロールペーパー７の右側端面に開口する管芯７０を挿入すればよい。この操作は、片手でロールペーパーを持って行なうことができる。
【００３３】
次に、図７（Ｂ）及び図８（ｂ）に示すようにロールペーパー７の他方端部（図７（Ｂ）では左側）を奥側上方（左奥角方向）に向かって押し上げる。この操作の際、左側支持部５２Ｌは、ロールペーパー７の左端部、左端面の順に当接しつつ押されて、先端５２ｔが基端部５２ｓの回転軸を軸心として通常状態の付勢に逆らって上方に向かって回転して跳ね上げられる。このとき、本発明にかかる支持部５２は、前面及び底面が傾斜しているので、この奥側上方方面へのロールペーパー７の押し込みにも関わらず、支持部５２はその押し込み方向とは相違する垂直方向上方（天板分方向）へとスムーズに付勢に逆らって回転され跳ね上げられる。そして、このスムーズな回転は、上述のとおり支持部５２の前面側５２Ｆから底面側５２Ｂにかけて曲面で構成されている場合により一層顕著となる。なお、この操作も、片手でロールペーパーを持って行なうことができる。
【００３４】
次に、図７（Ｃ）及び図８（ｃ）に示すようにロールペーパー７の他方端部を奥側上方（左奥角方向）に向かってさらに押し上げる。このとき、上述のとおり本発明にかかる支持部５２は、前面側５２Ｆ及び底面側５２Ｂが傾斜しているので、この奥側上方方面へのロールペーパー７の押し込みにも関わらず、支持部５２はその押し込み方向とは相違する垂直方向上方（天板部方向）へとスムーズに付勢に逆らって回転され跳ね上げられる。そして、このスムーズな回転は、上述のとおり支持部５２の前面側５２Ｆから底面側５２Ｂにかけて曲面で構成されている場合により一層顕著となる。そして、このさらなる押し込み操作の途中で左側支持部５２Ｌの先端５２ｔは、ロールペーパー７の端面の管芯部分に到達する。そうすると、左側支持部５２Ｌは付勢に逆らう力が失われ、管芯７０内で通常状態へと戻る。このとき、一対の支持部先端５２ｔ，５２ｔ間は、ロールペーパー７の管芯７０の幅よりも狭く設計されるので、一対の支持部５２，５２の先端５２ｔ，５２ｔの両方が管芯内に位置し、ロールペーパー７が支持されて取付けられる。なお、この操作も、片手でロールペーパー７を持って行なうことができる。
【００３５】
また、この操作の際には付勢された支持部５２の先端５２ｔがロールペーパー７の端面に押接するため、先端５２ｔから回転軸５３までの範囲、特に先端５２ｔが曲面で構成されていると端面を傷つけずに好適である。
【００３６】
以上の説明のとおり、本発明のディスペンサーＸ１では、ロールペーパー７を支持部５２の手前側下方から奥側上方に向かうように押し込む操作を行なう。すなわち、従来デッドスペースとなっていた筐体の上方奥角を有効に利用した取付けが可能となる。従って、従来の図１０や図１１に示すものと比較して、ロールペーパー７を取付ける際に、支持部５２の下方や上方、さらに奥側に必要な空間が少ない。このため、従来例と比較すると、省空間でのロールペーパー７の取付けが可能であり、また、筐体１をコンパクトにすることができる。また、片手で簡易に交換を行なうこともできる。さらに、支持部５２の前面側５２Ｆから底面側５２Ｂにかけて曲面で構成されている形態、さらには、先端５２ｔから回転軸５３までの範囲が曲面で構成されている形態については、それぞれ特有の利点があり、特に、上述の正面視で鶏卵形状をなすものについて優れることが理解される。
【００３７】
『ロールペーパーの交換態様２』
なお、ロールペーパーの取付け態様１では、まず、右側の支持部５２Ｒをロールペーパー７の管芯に挿入したが、もちろん先に左側支持部５２Ｌから挿入してもよい。
さらに、本発明の支持部５２は、上述のとおり手前側下方から奥側上方へ向かう押力であっても、先端５２がスムーズに上方に跳ね上げることが可能である。したがって、ロールペーパー７の両側端部の双方を手前側下方から一対の各支持部５２，５２に押し当てて、さらに押し込み一対の各支持部５２，５２の両方の先端５２ｔ，５２ｔを同時に跳ね上げる操作をしても取付けることができる。その場合でも上述のロールペーパー７の取付け態様１で述べたのと同様の本願発明の効果を奏する。また、このように操作する場合であっても、上述のロールペーパー７の取付け態様１で述べた好ましい形態は、より一層の利点・効果を奏する。
【符号の説明】
【００３８】
Ｘ１…ロールペーパー用ディスペンサー、１，１０１…筐体、２…支持機構、７…ロールペーパー、１０…ケース本体、１１…天板部、１２…底板部、１３…背板部、１４…本体側板部、２０…蓋体、２１…前板部、２２…蓋体側板部、２３…蝶番機構、３０…排紙口、５１…腕部、５２，１５２…支持部（５２Ｒ…右側支持部、５２Ｌ…左側支持部）、５２Ｆ…支持部前面側、５２Ｂ…支持部底面側、５２ｆ…支持部前側端、５２ｂ…支持部底側端、５２ｓ，１５２ｓ…支持部基端部、５２ｔ，１５２ｔ…支持部先端、５３…回転軸、７０…管芯、１５１…アーム部  Ｗ…壁。
【図１】
2011224108.tif 000003
【図２】
2011224108.tif 000004
【図３】
2011224108.tif 000005
【図４】
2011224108.tif 000006
【図５】
2011224108.tif 000007
【図６】
2011224108.tif 000008
【図７】
2011224108.tif 000009
【図８】
2011224108.tif 000010
【図９】
2011224108.tif 000011
【図１０】
2011224108.tif 000012
【図１１】
2011224108.tif 000013